【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
原稿の画像を読み取って画像データを生成する読み取り手段と、前記読み取り手段によって生成された画像データから文字を認識する文字認識手段と、を有する原稿読取装置であって、
ユーザにより入力された文字を、ファイル名として、受け付ける第１の受付手段と、
前記文字認識手段によって前記読み取り手段によって生成された画像データから認識される文字をファイル名として含めるかどうかの設定の指示を受け付ける第２の受付手段と、
前記読み取り手段によって生成された画像データのファイル名に、ユーザにより入力された文字ではなく、かつ、前記文字認識手段によって画像データから認識される文字ではない、ユニークなファイル名とするための情報を表す文字をファイル名として含めないかどうかに係る設定の指示を受け付ける第３の受付手段と、
前記読み取り手段によって生成された画像データのファイルのファイル名を設定する設定手段と、を有し、
前記設定手段は、
前記第２の受付手段で受け付けた指示に従う前記文字認識手段による文字認識が成功し、かつ、前記第３の受付手段で受け付けた指示に従い前記ユニークなファイル名とするための情報を表す文字をファイル名として含めない場合には、前記文字認識手段によって認識に成功した文字を含み、前記ユニークなファイル名とするための情報を表す文字を含まないファイル名を設定し、
前記第２の受付手段で受け付けた指示に従う前記文字認識手段による文字認識が失敗した際には、前記ユニークなファイル名とするための情報を表す文字をファイル名として含めないことに対応する指示を前記第３の受付手段で受け付けた場合であっても、前記ユニークなファイル名とするための情報を表す文字を含むファイル名を設定することを特徴とする原稿読取装置。
【請求項２】
前記設定手段は、前記第１の受付手段で文字の入力を受け付け、前記第２の受付手段で受け付けた指示に従う前記文字認識手段による文字認識が成功し、かつ、前記第３の受付手段で受け付けた指示に従い前記ユニークなファイル名とするための情報を表す文字をファイル名として含めない場合には、前記前記第１の受付手段で受け付けた前記文字を含み、前記文字認識手段によって認識に成功した文字を含み、前記ユニークなファイル名とするための情報を表す文字を含まないファイル名を設定することを特徴とする請求項１に記載の原稿読取装置。
【請求項３】
前記設定手段は、前記第１の受付手段で文字の入力を受け付けておらず、かつ、前記第２の受付手段で受け付けた指示に従う前記文字認識手段による文字認識が失敗した際には、前記ユニークなファイル名とするための情報を表す文字をファイル名として含めないことに対応する指示を前記第３の受付手段で受け付けた場合であっても、前記ユニークなファイル名とするための情報を表す文字を含むファイル名を設定し、
前記設定手段は、前記第１の受付手段で文字の入力を受け付け、かつ、前記第２の受付手段で受け付けた指示に従う前記文字認識手段による文字認識が失敗した際に、前記ユニークなファイル名とするための情報を表す文字をファイル名として含めないことに対応する指示を前記第３の受付手段で受け付けた場合、前記前記第１の受付手段で受け付けた前記文字を含み、前記ユニークなファイル名とするための情報を表す文字を含まないファイル名を設定することを特徴とする請求項１または２に記載の原稿読取装置。
【請求項４】
前記ユニークなファイル名とするための情報は、前記読み取り手段によって生成された画像データのファイルの送信のためのジョブの受付番号と、前記読み取り手段によって原稿の画像を読み取りが開始された日時と、の少なくともいずれかであることを特徴とする請求項１乃至３のいずれか１項に記載の原稿読取装置。
【請求項５】
前記設定手段は、前記読み取り手段によって生成された画像データのファイルをメールサーバーに送信し、かつ、前記ユニークなファイル名とするための情報を表す文字を含めてファイル名を設定する場合には、前記ユニークなファイル名とするための情報として前記受付番号を表す文字を含むファイル名を設定することを特徴とする請求項４に記載の原稿読取装置。
【請求項６】
前記設定手段は、前記読み取り手段によって生成された画像データのファイルをファイルサーバーに送信し、かつ、前記ユニークなファイル名とするための情報を表す文字を含めてファイル名を設定する場合には、前記ユニークなファイル名とするための情報として前記日時を表す文字を含むファイル名を設定することを特徴とする請求項４または５に記載の原稿読取装置。
【請求項７】
前記設定手段は、前記ユニークなファイル名とするための情報を表す文字を含めてファイル名を設定する場合に、前記読み取り手段によって生成された画像データのファイルの送信先に応じて異なる文字を含むファイル名を設定することを特徴とする請求項１乃至３のいずれか１項に記載の原稿読取装置。
【請求項８】
原稿の画像を読み取って画像データを生成する読み取り手段と、前記読み取り手段によって生成された画像データから文字を認識する文字認識手段と、を有する原稿読取装置であって、
ユーザにより入力された文字を、ファイル名として、受け付ける第１の受付手段と、
前記文字認識手段によって前記読み取り手段によって生成された画像データから認識される文字をファイル名として含めるかどうかの設定の指示を受け付ける第２の受付手段と、
前記読み取り手段によって生成された画像データのファイル名に、ユーザにより入力された文字ではなく、かつ、前記文字認識手段によって画像データから認識される文字ではない、ユニークなファイル名とするための情報を表す文字をファイル名として含めないかどうかに係る設定の指示を受け付ける第３の受付手段と、
前記読み取り手段によって生成された画像データのファイルのファイル名を設定する設定手段と、を有し、
前記設定手段は、前記第１の受付手段で文字の入力を受け付けておらず、前記第２の受付手段で受け付けた指示に従う前記文字認識手段による文字認識が失敗し、かつ、前記第３の受付手段で受け付けた指示に従い前記ユニークなファイル名とするための情報を表す文字をファイル名として含めない場合には、文字が認識されなかったことを表す文字を含み、前記ユニークなファイル名とするための情報を表す文字を含まないファイル名を設定することを特徴とする原稿読取装置。
【請求項９】
原稿の画像を読み取って画像データを生成する読み取り手段と、前記読み取り手段によって生成された画像データから文字を認識する文字認識手段と、を有する原稿読取装置における制御方法であって、
ユーザにより入力された文字を、ファイル名として、受け付ける第１の受付工程と、
前記文字認識手段によって前記読み取り手段によって生成された画像データから認識される文字をファイル名として含めるかどうかの設定の指示を受け付ける第２の受付工程と、
前記読み取り手段によって生成された画像データのファイル名に、ユーザにより入力された文字ではなく、かつ、前記文字認識手段によって画像データから認識される文字ではない、ユニークなファイル名とするための情報を表す文字をファイル名として含めないかどうかに係る設定の指示を受け付ける第３の受付工程と、
前記読み取り手段によって生成された画像データのファイルのファイル名を設定する設定工程と、を有し、
前記設定工程では、
前記第２の受付工程で受け付けた指示に従う前記文字認識手段による文字認識が成功し、かつ、前記第３の受付工程で受け付けた指示に従い前記ユニークなファイル名とするための情報を表す文字をファイル名として含めない場合には、前記文字認識手段によって認識に成功した文字を含み、前記ユニークなファイル名とするための情報を表す文字を含まないファイル名が設定され、
前記第２の受付工程で受け付けた指示に従う前記文字認識手段による文字認識が失敗した際には、前記ユニークなファイル名とするための情報を表す文字をファイル名として含めないことに対応する指示を前記第３の受付工程で受け付けた場合であっても、前記ユニークなファイル名とするための情報を表す文字を含むファイル名が設定されることを特徴とする制御方法。
【請求項１０】
請求項１乃至７のいずれか１項に記載の各手段としてコンピュータを機能させるためのプログラム。
【手続補正２】
【補正対象書類名】明細書
【補正対象項目名】０００７
【補正方法】変更
【補正の内容】
【０００７】
上記目的を達成するために本発明の一態様に係る原稿読取装置は以下のような構成を備える。
原稿の画像を読み取って画像データを生成する読み取り手段と、前記読み取り手段によって生成された画像データから文字を認識する文字認識手段と、を有する原稿読取装置であって、ユーザにより入力された文字を、ファイル名として、受け付ける第１の受付手段と、前記文字認識手段によって前記読み取り手段によって生成された画像データから認識される文字をファイル名として含めるかどうかの設定の指示を受け付ける第２の受付手段と、前記読み取り手段によって生成された画像データのファイル名に、ユーザにより入力された文字ではなく、かつ、前記文字認識手段によって画像データから認識される文字ではない、ユニークなファイル名とするための情報を表す文字をファイル名として含めないかどうかに係る設定の指示を受け付ける第３の受付手段と、前記読み取り手段によって生成された画像データのファイルのファイル名を設定する設定手段と、を有し、
前記設定手段は、
前記第２の受付手段で受け付けた指示に従う前記文字認識手段による文字認識が成功し、かつ、前記第３の受付手段で受け付けた指示に従い前記ユニークなファイル名とするための情報を表す文字をファイル名として含めない場合には、前記文字認識手段によって認識に成功した文字を含み、前記ユニークなファイル名とするための情報を表す文字を含まないファイル名を設定し、前記第２の受付手段で受け付けた指示に従う前記文字認識手段による文字認識が失敗した際には、前記ユニークなファイル名とするための情報を表す文字をファイル名として含めないことに対応する指示を前記第３の受付手段で受け付けた場合であっても、前記ユニークなファイル名とするための情報を表す文字を含むファイル名を設定することを特徴とする。